(57)【特許請求の範囲】
【請求項１】
車両前側に配置され、車体に対して固定される車載機器の固定構造であって、
前記車体に固定されて前記車載機器の下方に延設されるとともに、前記車載機器の後面よりも後方へ突出した突部を有する支持部材と、
前記車載機器の後部下面に固定される前側固定部と、前記支持部材の前記突部に固定される後側固定部と、前記前側固定部及び前記後側固定部の間であって少なくとも上下方向に延在する面部に設けられた板金製の変形促進部とを有するブラケットと、を備え、
前記ブラケットが、前方からの外力の入力により前記後側固定部を支点として前記変形促進部を変形させながら前記車載機器の後部を上方へと移動させる
ことを特徴とする、車載機器の固定構造。
【請求項２】
前記ブラケットが、前後方向に延設された底面部と、前記底面部の前後方向に延びる両縁部から上方に立設された前記面部としての二つの側面部と、を有し、
前記変形促進部が、前記二つの側面部にそれぞれ設けられ、前記側面部の立設方向に延びるとともに内側又は外側に向かって凸状に形成された側面ビードを含んで構成され、
前記側面ビードが、前記側面部の上縁まで延設される
ことを特徴とする、請求項１記載の車載機器の固定構造。
【請求項３】
前記側面ビードが、前記二つの側面部のそれぞれに、前後方向に複数個並んで設けられる
ことを特徴とする、請求項２記載の車載機器の固定構造。
【請求項４】
前記変形促進部が、前記底面部に設けられ、前記底面部の延設方向に直交する方向に延びるとともに内側に向かって凸状に形成された底面ビードを含んで構成される
ことを特徴とする、請求項２又は３記載の車載機器の固定構造。
【請求項５】
前記側面ビードが、前記二つの側面部のそれぞれに、前後方向に二つ並んで設けられ、
前記底面ビードが、二つ並んだ前記側面ビードの間に位置するように一つ設けられる
ことを特徴とする、請求項４記載の車載機器の固定構造。
【請求項６】
前記ブラケットは、前記二つの側面部の上下方向長さが、何れも前方に行くほど小さくなるように形成される
ことを特徴とする、請求項２〜５の何れか１項に記載の車載機器の固定構造。
【発明の詳細な説明】
【技術分野】
【０００１】
本発明は、車両に搭載される機器（以下、車載機器という）の固定構造に関する。
【背景技術】
【０００２】
車両の前側にあるエンジンルーム（或いはモータルーム）には、パワープラントや補機などの様々な機器が配置される。これらの機器は車体に固定され、通常の走行時はもちろん、衝突時や回転時にも車室内の乗員へ影響を及ぼさないように搭載されている。例えば、車載機器が車体に対して離脱可能に固定され、衝突によって車載機器に外力が加わると、その固定が外れて後方にある機器との接触を回避するようにした構造や、離脱後の車載機器を所定の方向に案内するための案内部材を設けた構造が提案されている（特許文献１，２参照）。
【先行技術文献】
【特許文献】
【０００３】
【特許文献１】特開２００９−９０８１８号公報
【特許文献２】特許第４９４３４９４号公報
【発明の概要】
【発明が解決しようとする課題】
【０００４】
しかしながら、車載機器を車体から離脱させて後方にある機器との接触を回避する構造では、車載機器に入力される外力の方向によっては車載機器が予期せぬ方向に移動する可能性があり、他の機器との接触を回避できないおそれがある。また、車載機器を離脱させた後で所定の方向に案内するための案内部材を設けた場合には、その分の重量増やコスト増は避けられない。
【０００５】
特に、駆動源としての電動機を備えた電気自動車やハイブリッド車（以下、これらを総称して電動車両という）では、駆動用バッテリと電動機との間で直流，交流の電力変換を行うインバータが搭載される。インバータは、他の機器と比較して高電圧な部位を備えているため、車両衝突時に他の機器と干渉することで破損した場合、高電圧部位が露出して漏電等の二次災害のおそれが生じうる。
【０００６】
本件は、このような課題に鑑み案出されたもので、重量増及びコスト増を抑制しつつ、車両衝突時における車載機器の保護性を高めることができるようにした、車載機器の固定構造を提供することを目的の一つとする。なお、この目的に限らず、後述する発明を実施するための形態に示す各構成により導かれる作用効果であって、従来の技術によっては得られない作用効果を奏することも本件の他の目的として位置づけることができる。
【課題を解決するための手段】
【０００７】
（１）ここで開示する車載機器の固定構造は、車両前側に配置され、車体に対して固定される車載機器の固定構造である。この固定構造は、前記車体に固定されて前記車載機器の下方に延設されるとともに、前記車載機器の後面よりも後方へ突出した突部を有する支持部材と、前記車載機器の後部下面に固定される前側固定部と、前記支持部材の前記突部に固定される後側固定部と、前記前側固定部及び前記後側固定部の間であって少なくとも上下方向に延在する面部に設けられた板金製の変形促進部とを有するブラケットと、を備える。前記ブラケットは、前方からの外力の入力により前記後側固定部を支点として前記変形促進部を変形させながら前記車載機器の後部を上方へと移動させる。
【０００８】
（２）前記ブラケットは、前後方向に延設された底面部と、前記底面部の前後方向に延びる両縁部から上方に立設された前記面部としての二つの側面部と、を有することが好ましい。この場合、前記変形促進部は、前記二つの側面部にそれぞれ設けられ、前記側面部の立設方向に延びるとともに内側又は外側に向かって凸状に形成された側面ビードを含んで構成されることが好ましく、前記側面ビードは、前記側面部の上縁まで延設されることが好ましい。
【０００９】
（３）前記側面ビードは、前記二つの側面部のそれぞれに、前後方向に複数個並んで設けられることが好ましい。
（４）前記変形促進部は、前記底面部に設けられ、前記底面部の延設方向に直交する方向に延びるとともに内側に向かって凸状に形成された底面ビードを含んで構成されることが好ましい。
【００１０】
（５）前記側面ビードは、前記二つの側面部のそれぞれに、前後方向に二つ並んで設けられ、前記底面ビードは、二つ並んだ前記側面ビードの間に位置するように一つ設けられることが好ましい。
（６）前記ブラケットは、前記二つの側面部の上下方向長さが、何れも前方に行くほど小さくなるように形成されることが好ましい。
【発明の効果】
【００１１】
開示の車載機器の固定構造によれば、変形促進部により、車両衝突による外力の入力時に車載機器の後部を上方へと移動させることができる。また、この変形促進部が車載機器を固定するためのブラケットに設けられるため、重量の増大やコストの増大を抑制することができる。したがって、重量増及びコスト増を抑制しつつ、車両衝突時における車載機器の保護性を高めることができる。
【図面の簡単な説明】
【００１２】
【図１】一実施形態に係る車載機器の固定構造を示す模式的な左側面図である。
【図２】図１の固定構造に適用されるブラケットの周辺を左下の後方から見上げた斜視図である。
【図３】図２のブラケットの斜視図である。
【図４】（ａ）は図２のブラケットの上面図、（ｂ）は図２のブラケットの左側面図である。
【図５】図１の固定構造による作用を説明するための左側面図であり、（ａ）は衝突前の状態（通常状態）を示し、（ｂ）は衝突後の状態を示す。
【図６】図２のブラケットの変形例であり、（ａ）は上面図、（ｂ）は左側面図である。
【発明を実施するための形態】
【００１３】
図面を参照して、実施形態としての車載機器の固定構造について説明する。以下に示す実施形態はあくまでも例示に過ぎず、以下の実施形態で明示しない種々の変形や技術の適用を排除する意図はない。本実施形態の各構成は、それらの趣旨を逸脱しない範囲で種々変形して実施することができるとともに、必要に応じて取捨選択することができ、あるいは適宜組み合わせることが可能である。なお、以下の説明では、車両の進行方向を前方とし、前方を基準に左右を定め、重力の方向を下方とし、その逆を上方として説明する。また、車両に搭載される装置や部品の説明では、それらの装置や部品が車両に搭載された状態を基準として、上下方向，左右方向及び前後方向を定める。
【００１４】
［１．構成］
図１に示すように、本実施形態に係る固定構造は、車両の前部に設けられるエンジンルームやモータルーム（空間）に配置される車載機器３を車体４へ固定するための構造である。本実施形態の車載機器３は、駆動源としての電動機と駆動用バッテリ（何れも図示略）との間で直流，交流の電力変換を行うインバータであり、モータルーム内に配置される。すなわち、本実施形態の車両は、駆動源としての電動機を備えた電気自動車又はハイブリッド車（電動車両）である。なお、モータルーム内には、インバータ３の他にも電動機や補機バッテリ，空調装置など、様々な機器が搭載されている。
【００１５】
インバータ３は、筐体３１の内部に高電圧部位を有するとともに、その外面にコネクタやケーブル接続部等（何れも図示略）を有する。インバータ３の前面３１ａの下部には、支持部材２と締結される前側締結部３２が前方へ突設される。一方、図２に示すように、インバータ３の後部の下面には、上方へ一段上がった段差面３１ｃが設けられ、この段差面３１ｃにはブラケット１が締結される後側締結部３３が設けられる。前側締結部３２は、車幅方向に互いに間隔をあけて二つ設けられ、各前側締結部３２が締結用の孔部を有する。後側締結部３３は、段差面３１ｃから下方に突設されるとともに、前後方向に延設された略直方体形状の部位であり、締結用の孔部を二つ有し、その後面はインバータ３の後面３１ｂと同一平面をなす。
【００１６】
図１に示すように、インバータ３は、前後方向において後部が前部よりもやや上になるように前傾姿勢で配置され、支持部材２及びブラケット１を介して車体４に固定される。支持部材２は、インバータ３の下方においてインバータ３の前方から後方に亘って延設されるとともに車体４のマウント４Ｂに固定されるトレイ部材２１と、インバータ３の前方において車体４のサイドメンバ４Ａに固定される支持台２２とから構成される。これらのトレイ部材２１と支持台２２とは別体に形成される。
【００１７】
トレイ部材２１は、インバータ３の下面に沿って延設される平面部２１ａと、平面部２１ａの前端から上方へ湾曲したのち前方へ湾曲して滑らかなクランク状に形成されたフランジ部２１ｂと、平面部２１ａの後端から上方へ湾曲したのち後方へ湾曲して滑らかなクランク状に形成された突部２１ｃとを有する。
【００１８】
平面部２１ａは、後部がマウント４Ｂの上面に当接されてボルト締結される部位である。フランジ部２１ｂは、インバータ３の前面３１ａよりも前方へ突設され、車幅方向に水平に延びた部位であり、インバータ３の二つの前側締結部３２と支持台２２との間に挟まれてこれらと共にボルト締結される。突部２１ｃは、インバータ３の後面３１ｂよりも後方へ突出した部位であり、ブラケット１の下面に当接されてボルト締結される。すなわち、トレイ部材２１は、平面部２１ａ，フランジ部２１ｂ及び突部２１ｃにそれぞれ締結用の孔部が設けられる。
【００１９】
支持台２２は、サイドメンバ４Ａの上面にボルト締結される部材であり、その外形が側面視で略台形の四角柱状に形成される。支持台２２の車幅方向に延びる上面には、締結用の孔部が設けられるとともに、トレイ部材２１のフランジ部２１ｂが当接される。
【００２０】
ブラケット１は、インバータ３の後部を下方から支持するとともに、支持部材２を介してインバータ３の後部を車体４に固定する固定部材（接続部材）である。さらに、ブラケット１は、車両の前面衝突時のようにインバータ３に対して前方から外力が入力された場合に、インバータ３の後部が上方へと移動するようにその軌跡（移動方向）をコントロールする機能を持つ。
【００２１】
ブラケット１は、インバータ３の後部の下面（すなわち段差面３１ｃ）に固定される前側固定部１０Ａと、支持部材２の突部２１ｃに固定される後側固定部１０Ｂと、これらの前側固定部１０Ａ及び後側固定部１０Ｂの間に設けられた変形促進部１０Ｃとを有する。前側固定部１０Ａ及び後側固定部１０Ｂは、それぞれブラケット１の固定点となる部位である。一方、変形促進部１０Ｃは、ブラケット１に前方から外力が作用したときに、ブラケット１の変形を後述の変形モードにコントロールするための部位である。
【００２２】
本実施形態のブラケット１は、図３及び図４（ａ），（ｂ）に示すように、底面部１１及び二つの側面部１２を有する断面コ字状の部位と円筒部１３とが組み合わされて形成される。なお、ブラケット１は、車幅方向中心に沿って前後方向に延びる仮想的な鉛直面に対して面対称に形成される。底面部１１は、前後方向に延設された平面状の部位であり、前方に行くほど車幅方向長さ（以下、幅という）が僅かに拡開され、前縁部が曲面状に形成される。二つの側面部１２は、上下方向に延在する面部であって、底面部１１の前後方向に延びる両縁部からそれぞれ鉛直上方に立設された部位である。
【００２３】
底面部１１及び二つの側面部１２は板金製であり、例えば曲げ加工により一体で形成される。底面部１１には、幅方向中心に沿って前後方向に三つの孔部１１ａ〜１１ｃが穿設される。以下、これらの孔部１１ａ〜１１ｃを特に区別する場合には、前から順に第一孔部１１ａ，第二孔部１１ｂ，第三孔部１１ｃという。第一孔部１１ａ及び第二孔部１１ｂは、ボルト挿通用の孔部であり、インバータ３の後側締結部３３の二つの孔部と重なる位置に設けられる。一方、第三孔部１１ｃは、後述の変形促進部１０Ｃの一部を構成するとともに、ブラケット１の重量を低減するための重量低減孔や、ブラケット１の底面部１１に溜まった雨水，電着塗装時の塗料や電解液等を抜くための水抜き孔としても副次的に作用するものである。
【００２４】
ブラケット１は、図２に示すように、底面部１１及び二つの側面部１２の前部が、インバータ３の後側締結部３３に下方から嵌め込まれ、底面部１１の第一孔部１１ａ及び第二孔部１１ｂにボルト５ａが挿通されて後側締結部３３に締結されることでインバータ３に固定される。つまり、本実施形態の前側固定部１０Ａは、底面部１１及び各側面部１２の前部と、二つの孔部１１ａ，１１ｂとから構成される。なお、底面部１１の幅方向長さは、インバータ３の後側締結部３３の車幅方向長さに合わせて設定される。
【００２５】
円筒部１３は、上下方向に延びる軸心を有し、中央に中心孔１３ａを持つパイプ状の部材であり、上下の端面が何れも平面状に形成される。ブラケット１は、図１に示すように、トレイ部材２の突部２１ｃの孔部と中心孔１３ａとが重なるように、円筒部１３の下端面１３ｂが突部２１ｃの上面に当接される。そして、ブラケット１は、その上方から中心孔１３ａにボルト５ｂが挿通され、突部２１ｃの下方からナット６ｂが締結されることで支持部材２に固定される。つまり、本実施形態の後側固定部１０Ｂは、円筒部１３によって構成される。
【００２６】
図３及び図４（ａ），（ｂ）に示すように、二つの側面部１２は、側面部１２の立設方向（すなわち上下方向）に延びるとともに、車幅方向外側に向かって凸状に形成された二つの側面ビード１４をそれぞれ有する。二つの側面ビード１４は、側面部１２の前後方向の略中央に僅かに間隔をあけて並んで設けられる。なお、側面ビード１４は側面部１２と同様に板金製であり、その個数は特に限られない。すなわち、側面ビード１４が一つずつ設けられていてもよいし、三つ以上の複数箇所に設けられていてもよい。側面ビード１４の下端は曲線状に形成され、底面部１１に達しない位置に設けられる。一方、側面ビード１４の上端は側面部１２の上端に達する位置に設けられる。すなわち、側面ビード１４は、側面部１２の上縁にまで延設される。これにより、図４（ａ）に示すように、側面部１２の上縁に波形（凹凸）が形成される。
【００２７】
側面ビード１４は、ブラケット１に前方から外力が作用したときに、各側面部１２を側面視で上縁が伸びて下縁が縮むように（例えばくの字状や扇状に）変形させるための伸び代となる。底面部１１は、側面部１２の変形に伴って上方に凸となるように折れ曲がり変形する。なお、このとき折れ曲がる部分は、側面ビード１４の個数や位置によって設定（調整）可能である。本実施形態では、二つの側面ビード１４が僅かに間隔をあけて設けられるため、二つの側面ビード１４の略中央で折れ曲がり変形する。
【００２８】
したがって、ブラケット１は、インバータ３に対して前方から外力が入力された場合、後側固定部１０Ｂと突部２１ｃとの固定点（本実施形態では後側固定部１０Ｂの下端）を支点として前側固定部１０Ａが上方へと移動するように側面視でくの字状や扇状に湾曲（屈曲）変形する。すなわち、ブラケット１は、前方からの外力の入力により後側固定部１０Ｂの下端を支点として側面ビード１４を変形させながらインバータ３の後部を上方へと移動させる。つまり、変形促進部１０Ｃは、各側面部１２に設けられた二つの側面ビード１４を含んで構成され、このような変形モードでブラケット１が変形するようにコントロールする。
【００２９】
さらに本実施形態のブラケット１は、図３及び図４（ｂ）に示すように、各側面部１２の上下方向長さ（以下、高さという）が前方に行くほど小さくなるように形成される。すなわち、側面部１２の上縁には、前方に向かって下降傾斜した傾斜部１６が形成される。本実施形態の傾斜部１６は、後側の側面ビード１４のやや後方から前方に向かって形成され、側面部１２の前端において側面部１２の高さが後端の高さの半分程度になるように形成される。言い換えると、側面ビード１４は、傾斜部１６が形成された側面部１２に設けられる。
【００３０】
この傾斜部１６は、ブラケット１に前方から外力が作用したときに、各側面部１２を変形させ易くするための部位である。ブラケット１は、断面コ字状に形成されているため、前後方向に対して比較的高い剛性を有する。ただし、インバータ３が後方へと押し込まれるような外力が前方から作用した場合には、上記のような変形モードでブラケット１が変形してインバータ３の後部を上方へと移動させる必要がある。傾斜部１６は、このような変形を促進（補助）するために側面部１２の剛性を低く抑えた部位であり、変形促進部１０Ｃの一部を構成する。なお、底面部１１に形成された第三孔部１１ｃは、底面部１１の剛性を低く抑えるための部位であり、傾斜部１６と同様に変形促進部１０Ｃの一部を構成する。
【００３１】
［２．作用，効果］
次に、図５（ａ），（ｂ）を用いて本固定構造による作用を説明する。図５（ａ）は通常の状態（車両衝突前の状態）を示す左側面図であり、図１に対して周辺構造を追加したものである。図５（ｂ）は車両の前面衝突後の状態を示す左側面図である。図５（ａ）に示すように、前傾姿勢で車体４に固定されたインバータ３の後方には、ダッシュパネル４Ｃの前面に固定された他の機器７が配置される。この機器７は、車幅方向においてインバータ３と重なる位置に配置され、仮にインバータ３が上下方向にほぼ移動せずに後退したとすると、インバータ３と衝突するものである。
【００３２】
これに対して、本固定構造では上述したように、車両が前面衝突してインバータ３に対して前方から外力が入力された場合、図５（ｂ）に示すように、ブラケット１が後側固定部１０Ｂの下端を支点として、変形促進部１０Ｃを変形させながら前側固定部１０Ａが上方へと移動するように変形する。すなわち、ブラケット１は、側面ビード１４が伸び代となり、側面部１２の上縁が伸びて下縁が縮むとともに底面部１１が上方に凸状に折れ曲がり、側面視でくの字状や扇状に湾曲（屈曲）するという変形モードで変形する。これにより、インバータ３は、ブラケット１が固定された後部が上方へと移動してさらに前傾姿勢となり、後方の機器７との接触を回避するような軌跡を辿る。
【００３３】
したがって、上述の固定構造によれば、車両衝突による前方からの外力の入力時に、板金製の変形促進部１０Ｃによって後側固定部１０Ｂを支点としてインバータ３の後部を上方へと移動させることができる。これにより、インバータ３の後方に配置された他の機器７との衝突を回避することができ、インバータ３の保護性を高めることができる。また、変形促進部１０Ｃがインバータ３を車体４に固定するためのブラケット１に設けられるため、重量の増大やコストの増大を抑制することができる。
【００３４】
上述の固定構造では、ブラケット１が、前後方向に延設された底面部１１と、この底面部１１の前後方向に延びる両縁部から上方に立設された二つの側面部１２とを有するため、軽量化を図りつつ強度を確保することができる。すなわち、重量増を抑制しながら、通常状態（衝突前）ではブラケット１によりインバータ３を車体４に対して確実に保持（固定）することができる。また、側面ビード１４が側面部１２の立設方向に延びるとともに外側に向かって凸状に形成されるため、ブラケット１が上記の変形モードで変形するときの伸び代を確保することができる。したがって、ブラケット１の変形を促進することができ、車両衝突時におけるインバータ３の保護性を高めることができる。
【００３５】
上述の固定構造では、側面ビード１４が側面部１２の上縁にまで延設されており、側面部１２の上縁に凹凸が形成されるため、各側面部１２が、側面視で上縁が伸びて下縁が縮むように（例えばくの字状や扇状に）変形することができる。これにより、車両衝突時にインバータ３を上方へと移動させることができるため、インバータ３の保護性をより高めることができる。
【００３６】
さらに本実施形態では、側面ビード１４が二つの側面部１２のそれぞれに、前後方向に複数個並んで設けられるため、ブラケット１の変形時の伸び代をより多く確保することができ、ブラケット１の変形を促進して、車両衝突時におけるインバータ３の保護性をより高めることができる。
また、上述の固定構造では、ブラケット１の二つの側面部１２の上下方向長さが、何れも前方に行くほど小さくなるように形成されて、側面部１２の上縁に傾斜部１６が設けられる。このため、前方からの外力の入力によりブラケット１の変形をより促進することができ、車両衝突時におけるインバータ３の保護性をさらに高めることができる。
【００３７】
［３．その他］
上述した実施形態に関わらず、それらの趣旨を逸脱しない範囲で種々変形して実施することができる。本実施形態の各構成は、必要に応じて取捨選択することができ、あるいは適宜組み合わせてもよい。
上記実施形態では、車載機器としてインバータ３を例示して説明したが、ブラケット１で固定される車載機器はインバータ３に限られず、エンジンルーム又はモータルームに搭載されるものであれば適用可能である。
【００３８】
また、ブラケット１の具体的な形状は上述のものに限られない。例えば、図６（ａ），（ｂ）に示すように、底面部１１に第三孔部１１ｃを形成する代わりに、底面部１１の延設方向（前後方向）に直交する方向（左右方向）に延びるとともに内側（上方）に向かって凸状に形成された底面ビード１５が設けられたブラケット１′によって車載機器３が固定されていてもよい。この場合、底面ビード１５の位置によって底面部１１の折れ曲がり箇所を設定することができるため、車両衝突による外力の入力時に車載機器３の軌跡をより精度よくコントロールすることができる。つまり、変形促進部１０Ｃは、底面部１１に設けられた底面ビード１５を含んで構成されていてもよい。
【００３９】
また、図６（ａ），（ｂ）に示すように、側面ビード１４が各側面部１２に前後方向二つ並んで設けられ、底面ビード１５が、二つ並んだ側面ビード１４の間に位置するように一つ設けられたブラケット１′の場合、二つの側面ビード１４で変形時の伸び代を稼ぎ、一つの底面ビード１５を折れ曲がり箇所とすることで、ブラケット１′の変形を予め定めた変形モードとすることができる（変形をコントロールすることができる）。したがって、車両衝突時における車載機器３の軌跡をさらに精度よくコントロールすることができる。
【００４０】
上述のブラケット１，１′は、側面ビード１４が外側に向かって凸状に形成されているが、側面ビード１４が内側に向かって凸状に形成されていてもよい。或いは、内側に向かって凸状に形成された側面ビード１４と外側に向かって凸状に形成された側面ビード１４とが前後方向に並んで設けられていてもよい。また、側面ビード１４の下端が底面部１１まで延設されていてもよい。
【００４１】
なお、底面部１１に第三孔部１１ｃ及び底面ビード１５の何れも形成されていないブラケットであってもよい。底面部１１に折れ曲がりを促進するための部位が存在しないブラケットであっても、側面部１２に変形促進部１０Ｃ（例えば複数の側面ビード１４や傾斜部１６）が設けられていればよい。また、底面部１１が前後方向に一様な幅を持つ形状（すなわち、上面視で長方形形状）に形成されていてもよいし、側面部１２が底面部１１に対して斜め上方に（すなわち上方に拡開するように）立設されていてもよい。
【００４２】
ブラケット１，１′は、前側固定部１０Ａ及び変形促進部１０Ｃが板金製であり、後側固定部１０Ｂがパイプ状に形成されているが、少なくとも変形促進部１０Ｃが板金製であれば前側固定部１０Ａ及び後側固定部１０Ｂの形状，材料は特に限定されない。例えば、前側固定部１０Ａがパイプ状に形成されていてもよいし、後側固定部１０Ｂが板金製であってもよい。また、車載機器３に対するブラケット１の固定点（前側固定部１０Ａの位置）、及び、ブラケット１と支持部材２との固定点（後側固定部１０Ｂの位置）は、上記に限られず、固定する車載機器３や、車体及び他の機器との位置関係によって適宜設定される。
【符号の説明】
【００４３】
１，１′  ブラケット
２  支持部材
３  インバータ（車載機器）
４  車体
１０Ａ  前側固定部
１０Ｂ  後側固定部
１０Ｃ  変形促進部
１１  底面部
１１ｃ  第三孔部（変形促進部）
１２  側面部
１３  円筒部
１３ａ  中心孔
１３ｂ  下端面
１４  側面ビード（変形促進部）
１５  底面ビード（変形促進部）
１６  傾斜部（変形促進部）
２１ｃ  突部
３１ｂ  後面
３１ｃ  段差面（後部下面）
【図１】
0006421583.tif 000002
【図２】
0006421583.tif 000003
【図３】
0006421583.tif 000004
【図４】
0006421583.tif 000005
【図５】
0006421583.tif 000006
【図６】
0006421583.tif 000007